(57)【要約】【課題】本発明は、簡単な構造で結線作業スペースを拡大できる住宅用分電盤１の基台２の構造を提供することを目的としている。【解決手段】本発明に係る住宅用分電盤１の基台２構造は、基台２の壁面を開閉可能とすることを特徴とし、電気機器３の結線作業のための作業スペースを基台２の外側に拡大し、住宅用分電盤１の結線作業が基台２の外側の広いスペースで行えるようにし、早く、安全に且つ確実に作業できることを特徴とする。【選択図】図１
2007312561.tif 000002
【特許請求の範囲】
【請求項１】
箱状の基台に主幹ブレーカ、分岐ブレーカ等の電気機器を載置し、該電気機器を結線してなる住宅用分電盤の基台構造であって、前記基台壁面の一部を開閉可能とすることを特徴とする住宅用分電盤の基台構造。
【請求項２】
前記住宅用分電盤の基台構造であって、前記基台の壁面の開閉構造として、前記基台壁面の一部をスライド動作により開閉可能とすることを特徴とする請求項１に記載の住宅用分電盤の基台構造。
【請求項３】
前記住宅用分電盤の基台構造であって、前記基台の壁面の開閉構造として、前記基台壁面の一部を前記基台とは別部品で構成し、弾性やねじ固定により取り付け、取り外し可能とすることを特徴とする請求項１に記載の住宅用分電盤の基台構造。
【請求項４】
前記住宅用分電盤の基台構造であって、前記基台の壁面の開閉構造として、前記基台壁面の一部を蝶番等の回転動作により開閉可能とすることを特徴とする請求項１に記載の住宅用分電盤の基台構造。
【発明の詳細な説明】
【技術分野】
【０００１】
本発明は、箱状の基台に主幹ブレーカ、分岐ブレーカ等の電気機器を載置し、電気機器を結線してなる住宅用分電盤の基台構造に関するものである。
【背景技術】
【０００２】
図６に示すように、住宅用分電盤３１は、箱状の基台３２に電気機器３３を収納して構成される。基台３３上で電気機器３３の結線作業は行われていた。
【非特許文献１】２００５カワムラ総合カタログ電設資材編  平成１７年５月１日発行
【発明の開示】
【発明が解決しようとする課題】
【０００３】
しかし、上記従来の住宅用分電盤３１では、基台３２が箱状で、背面３２ａから前面に向かって側面３２ｂが形成されているので、結線作業のためのスペースが、基台３２上の機器３３が取り付けられていない部分Ｓしか確保できないため、作業がしにくく、結線作業に時間が掛かっていた。また、基台３２上の機器３３が取り付けられていない部分Ｓには、カバーを係止するための突起体が設けられていることがあり、その突起体が作業の障害となる虞があった。
【課題を解決するための手段】
【０００４】
そこで本発明は簡単な構造で結線作業スペースを拡大できる住宅用分電盤の基台構造を提供することを目的とし、その構造は、基台の壁面を開閉可能とし、電気機器の結線作業のための作業スペースを拡大することを特徴とする。
【０００５】
また、住宅用分電盤の基台構造であって、基台の壁面の開閉構造として、基台壁面の一部をスライド動作により開閉可能とすることを特徴とする。
【０００６】
また、基台の壁面の開閉構造として、基台壁面の一部を基台とは別部品で構成し、弾性やねじ固定により取り付け、取り外し可能とすることを特徴とする。
【０００７】
また、基台の壁面の開閉構造として、基台壁面の一部を蝶番等の回転動作により開閉可能とすることを特徴とする。
【発明の効果】
【０００８】
本発明に係る住宅用分電盤の基台構造は、基台の壁面を開閉可能とするため、結線作業の短縮を図ることができ、結線作業の安全性を向上させることができる。
【０００９】
また、住宅用分電盤の基台構造であって、基台の壁面の開閉構造として、基台壁面の一部をスライド動作により開閉可能としたため、結線作業の短縮を図ることができ、結線作業の安全性を向上させることができる。
【００１０】
また、基台の壁面の開閉構造として、基台壁面の一部を基台とは別部品で構成し、弾性やねじ固定により取り付け、取り外し可能としたため、結線作業の短縮を図ることができ、結線作業の安全性を向上させることができる。
【００１１】
また、基台の壁面の開閉構造として、基台壁面の一部を蝶番等の回転動作により開閉可能としたため、結線作業の短縮を図ることができ、結線作業の安全性を向上させることができる。
【発明を実施するための最良の形態】
【００１２】
本発明に係る住宅用分電盤の基台構造の実施例を図１〜図５の添付図面に基づいて説明する。
【００１３】
住宅用分電盤１は略箱状の基台２に、主幹ブレーカ３ａ、分岐ブレーカ３ｂ等の電気機器３を配列し、電気機器３間を結線して構成される。
【実施例１】
【００１４】
基台２の背面を囲む壁面４の電気機器３を結線するためのスペースに隣接する一部を開閉可能とする。開閉部分５を開放することで、開放された部分から手を差し入れることができると共に、結線スペースを基台２の外に拡大することができ、作業しやすくなる。また、作業が終了した時には、開閉部分５は閉塞して元の状態に戻し、異物の侵入を防止すると共に、外観が損なわれない。
【実施例２】
【００１５】
基台２を囲む壁面４の電気機器３を結線するためのスペースに隣接する一部を開閉可能とする。開閉構造としては、基台２の壁面４の一部に開口６を設け、開口６はスライド体７で施蓋する。スライド体７はスライド移動可能であり、その動作により開閉可能である。開口６を開放することで、開放された開口６から手を差し入れることができると共に、結線スペースを基台２の外に拡大することができ、作業しやすくなる。また、作業が終了した時には、開口６は閉塞して元の状態に戻し、異物の侵入を防止すると共に、外観が損なわれない。
【実施例３】
【００１６】
基台２を囲む壁面４の電気機器３を結線するためのスペースに隣接する一部を開閉可能とする。開閉構造としては、基台２の壁面４の一部に開口６を設け、開口６は蓋体８で施蓋する。蓋体８は撓む性質のもので形成し、その弾性により開口６に嵌め込むことで施蓋したり、また、ねじ止め等により固定することで施蓋したりする。開口６を開放することで、開口６から手を差し入れることができると共に、結線スペースを基台２の外に拡大することができ、作業しやすくなる。また、作業が終了した時には、開口６は閉塞して元の状態に戻し、異物の侵入を防止すると共に、外観が損なわれない。
【実施例４】
【００１７】
基台２を囲む壁面４の電気機器３を結線するためのスペースに隣接する一部を開閉可能とする。開閉構造としては、基台２の壁面４の一部に開口６を設け、開口６は蓋体９で施蓋する。蓋体９は蝶番１０で開口６周縁に取り付けられ、蝶番１０の回動動作により蓋体９は開閉可能である。蓋体９の開閉方向は特に限定されるものではなく、図４に示すように、基台２の背面側に蝶着したり、図５に示すように、基台２の側面４に蝶着したり、住宅用分電盤の設置場所の状況により変更可能である。開口６を開放することで、開放された部分から手を差し入れることができると共に、結線スペースを基台２の外に拡大することができ、作業しやすくなる。また、作業が終了した時には、開口６は閉塞して元の状態に戻し、異物の侵入を防止すると共に、外観が損なわれない。
【産業上の利用可能性】
【００１８】
基台壁面の一部を開閉可能とし、開閉部分を開放することで住宅用分電盤の内部の結線作業スペースを基台の外に拡大することができ、作業がしやすくなるので作業時間と短縮と、確実な結線作業が可能となる。
【図面の簡単な説明】
【００１９】
【図１】本発明に係る住宅用分電盤の基台構造を示す説明図である。（実施例１）
【図２】本発明に係る住宅用分電盤の基台構造を示す説明図である。（実施例２）
【図３】本発明に係る住宅用分電盤の基台構造を示す説明図である。（実施例３）
【図４】本発明に係る住宅用分電盤の基台構造を示す説明図である。（実施例４）
【図５】本発明に係る住宅用分電盤の基台構造を示す説明図である。（実施例４）
【図６】従来の住宅用分電盤の基台構造を示す説明図である。
【符号の説明】
【００２０】
１    住宅用分電盤
２    基台
３    電気機器
３ａ  主幹ブレーカ
３ｂ  分岐ブレーカ
４    側面
５    開閉部分
６    開口
７    スライド体
８    蓋体
９    蓋体
１０  蝶番
【図１】
2007312561.tif 000003
【図２】
2007312561.tif 000004
【図３】
2007312561.tif 000005
【図４】
2007312561.tif 000006
【図５】
2007312561.tif 000007
【図６】
2007312561.tif 000008